(57)【要約】【課題】チャンバベースをチャンバカバーにより閉じたときに、中空のシール部が段付き溝の幅狭部から横方向にはみ出ないようにし、中空のシール部がチャンバベースとチャンバカバーとの間で破断されないようにする。【解決手段】真空包装機１０においては、チャンバカバー１４の周部には形成された段付き溝１５に取り付けられたパッキン２０は、段付き溝１５の幅広部１５ａに嵌合して取り付けられる取付基部２１と、取付基部２１から幅狭部１５ｂより狭い幅にて段付き溝１５の開口を突出してチャンバベース１３とチャンバカバー１４との間を気密にシールする中空のシール部２２とを備え、取付基部２１の幅を段付き溝１５の幅広部１５ａの幅より長くするとともに、取付基部２１の段付き溝１５の底壁との対向面には幅方向の中央部に幅広部１５ａの高さより低い凹溝２１ａを形成した。【選択図】図３
2016055914.tif 000002
【特許請求の範囲】
【請求項１】
チャンバベースとチャンバカバーとにより密閉室が開閉自在に形成されるチャンバと、
前記チャンバベースと前記チャンバカバーとの間に介装されて、前記チャンバベースと前記チャンバカバーとの間を気密にシールする柔軟弾性部材よりなるパッキンと、
前記チャンバ内を脱気して負圧化する真空ポンプとを備えた真空包装機であって、
前記チャンバベースまたは前記チャンバカバーの周部には前記パッキンの基部を嵌合する底側を幅広部として開口側を幅狭部とした段付き溝を形成し、
前記パッキンは前記段付き溝の幅広部に嵌合して取り付けられる取付基部と、前記取付基部から前記幅狭部より狭い幅にて前記段付き溝の開口を突出して、前記チャンバベースと前記チャンバカバーとを互いに圧接させたときに前記幅狭部内にて弾性変形して前記チャンバベースと前記チャンバカバーとの間を気密にシールする中空のシール部とを備え、
前記取付基部の幅を前記段付き溝の幅広部の幅より長くするとともに、
前記取付基部の前記段付き溝の底壁との対向面には幅方向の中央部に前記幅広部の高さより低い凹溝を形成したことを特徴とする真空包装機。
【請求項２】
請求項１に記載の真空包装機において、
前記凹溝を幅方向の中央部が深くなるように形成したことを特徴とする真空包装機。
【請求項３】
請求項１または２に記載の真空包装機において、
前記取付基部の高さを前記幅広部の高さより高くし、
前記取付基部の前記段付き溝の底壁との対向面には前記凹溝の両側にて幅方向の中央部に向けて高くなるように傾斜面を形成したことを特徴とする真空包装機。
【請求項４】
請求項１または２に記載の真空包装機において、
前記取付基部には前記シール部の付根部の両側を切り欠いた切欠き溝を形成することによって、前記取付基部の幅方向の両端部を外側に広がる爪部を形成するようにし、
前記爪部を前記段付き溝の幅広部の側面に弾性的に付勢させた状態にて、前記爪部の先端部を前記段付き溝の段部に係止させるようにしたことを特徴とする真空包装機。
【請求項５】
チャンバベースとチャンバカバーとにより密閉室が開閉自在に形成されるチャンバと、
前記チャンバベースと前記チャンバカバーとの間に介装されて、前記チャンバベースと前記チャンバカバーとの間を気密にシールするパッキンと、
前記チャンバ内を脱気して負圧化する真空ポンプとを備えた真空包装機であって、
前記チャンバベースまたは前記チャンバカバーの周部には前記パッキンの基部を嵌合する底側を幅広部として開口側を幅狭部とした段付き溝を形成し、
前記パッキンは前記段付き溝の幅広部に嵌合して取り付けられる取付基部と、前記取付基部から前記幅狭部より狭い幅にて前記段付き溝の開口を突出して、前記チャンバベースと前記チャンバカバーとを互いに圧接させたときに前記幅狭部内にて弾性変形して前記チャンバベースと前記チャンバカバーとの間を気密にシールする中空のシール部とを備え、
前記パッキンは前記取付基部と前記シール部との間に断面形状がく字形の部分を少なくとも含む緩衝部を設けたことを特徴とする真空包装機。
【発明の詳細な説明】
【技術分野】
【０００１】
本発明は、食材等の被包装物を入れた包装袋をチャンバ内で真空包装する真空包装機に関し、チャンバを構成するチャンバベースとチャンバカバーとの間を気密にシールするパッキンを備えた真空包装機に関する。
【背景技術】
【０００２】
下記の特許文献１には食材等の被包装物を入れた包装袋をチャンバ内で真空包装する真空包装機が開示されている。この真空包装機は、チャンバベースとチャンバカバーとにより密閉室を開閉自在に形成するチャンバと、チャンバベースの上面開口部周縁に設けられて、チャンバベースとチャンバカバーとの間を気密にシールするパッキンと、チャンバ内を脱気して負圧化する真空ポンプと、包装袋の開口部周縁を加熱封止する封止装置とを備えている。この真空包装機で食材を入れた包装袋を真空包装するときには、チャンバ内に包装袋を収容し、チャンバ内を真空ポンプによって脱気して負圧化し、包装袋の開口部周縁を封止装置によって加熱溶着して包装袋を真空包装する。
【先行技術文献】
【特許文献】
【０００３】
【特許文献１】実開平６−８１９０６号公報
【発明の概要】
【発明が解決しようとする課題】
【０００４】
上記のような真空包装機においては、チャンバベースの上面開口部周縁には底側の幅を広くした幅広部と開口側の幅を狭くした幅狭部とからなる段付き溝が形成されており、チャンバベースとチャンバカバーとの間を気密にシールするパッキンはこの段付き溝に取り付けられている。パッキンは段付き溝の幅広部と同形状をした嵌合部と、嵌合部から段付き溝の幅狭部を隙間なく延びて上面開口から断面半円形に突き出るようにした中実のシール部とを備えている。
【０００５】
チャンバ内を脱気して負圧化するときには、チャンバベースの上面開口部をチャンバカバーにより閉じて、パッキンのシール部をチャンバベースとチャンバカバーとの間にて弾性的に押し潰すようにして、チャンバベースとチャンバカバーとの間を気密にシールする。このとき、シール部の全周がチャンバカバーの当たり面に対して平面的に密着するように潰せないと、シール部のチャンバカバーと平面的に密着できてない部分からチャンバ内に空気が流入し、チャンバ内を負圧とすることができなかった。この場合には、チャンバカバーを上側から強く押さえ付けて、シール部の全周を平面的に潰してチャンバカバーに密着させなければならないが、シール部が中実であるために潰れにくい問題があった。
【０００６】
また、チャンバ内を脱気して負圧化したときに、パッキンのシール部をチャンバベースとチャンバカバーとの間にて弾性的に押し潰すようにしているが、シール部が中実であることと、シール部と段付き溝の幅狭部との間に隙間がないことから、シール部の全てを幅狭部の内部で圧縮できず、シール部の先端部が段付き溝の横側にはみ出て、シール部の先端部がチャンバベースとチャンバカバーとの間で潰れて破断するおそれがあった。
【０００７】
これらの問題を解決するために、本願出願人は図９に示したパッキン１００を開発するに至っている。このパッキン１００は、チャンバカバー１４の周部に形成された底側を幅広部１５ａとして開口側を幅狭部１５ｂとした段付き溝１５に取り付けられている。パッキン１００は、幅広部１５ａに嵌合して取り付けられる取付基部１０１と、取付基部１０１から幅狭部１５ｂより狭い幅にて段付き溝１５の開口を突出するようにした中空のシール部１０２とを備えている。
【０００８】
このパッキン１００であれば、図１０に示したように、チャンバベース１３の上面開口部をチャンバカバー１４により閉じたときに、シール部１０２が幅狭部１５ｂからはみ出ることなく弾性変形し、チャンバベース１３とチャンバカバー１４とを密着した状態でシールすることができる。
【０００９】
このパッキン１００では、取付基部１０１の幅を幅狭部１５ｂの幅より長くするとともに幅広部１５ａの幅より短くすることで、取付基部１０１を段付き溝１５の幅広部１５ａに対して取付を容易とするようにしている。しかし、取付基部１０１の幅を幅狭部１５ｂの幅より長くするとともに幅広部１５ａの幅より短くしたときには、取付基部１０１を段付き溝１５の幅広部１５ａに容易に取付できるようになるが、チャンバカバー１４を洗浄等をしてパッキン１００に横方向の力が加えられた際に、図１１に示したように、パッキン１００が幅方向にずれて取り付けられることがあり、取付基部１０１の幅方向の一方が段付き溝１５の段部から外れることがあった。この状態にてチャンバベース１３の上面開口部をチャンバカバー１４により閉じると、パッキン１００のシール部１０２の一部がチャンバベース１３とチャンバカバー１４との間に挟まれ、チャンバ内が気密に保たれないばかりか、パッキン１００がチャンバベース１３とチャンバカバー１４に挟まれて破断するおそれがあった。
【００１０】
これに対し、パッキン１００の取付基部１０１が段付き溝１５の幅広部１５ａから外れにくくなるようにするために、取付基部１０１の幅を幅広部１５ａの幅より長くすれば、取付基部１０１を幅広部１５ａから外れにくくすることができる。しかし、取付基部１０１を幅広部１５ａ内に圧縮して取り付けたときに、取付基部１０１の幅方向の両側部が段付き溝１５の開口側にて圧縮されて幅方向の中央側に屈撓するように弾性変形し、図１２（ａ）に示したように、中空のシール部１０２の左右両側壁部が内側に潰れた状態に変形することがある。この状態で、チャンバベース１３の上面開口部をチャンバカバー１４により閉じると、図１２（ｂ）に示したようにシール部１０２が横方向に倒れやすくなり、パッキン１００のシール部１０２の一部がチャンバベース１３とチャンバカバー１４との間に挟まれ、チャンバ１２内が気密に保たれないばかりか、パッキン１００がチャンバベース１３とチャンバカバー１４に挟まれて破断するおそれがあった。本発明は、チャンバベースまたはチャンバカバーに形成した段付き溝に取り付けるパッキンにおいて、チャンバベースをチャンバカバーにより閉じたときに、中空のシール部が段付き溝の幅狭部から幅方向にはみ出ないようにし、中空のシール部がチャンバベースとチャンバカバーとの間で破断されないようにすることを目的とするものである。特に、本発明はパッキンのシール部が中空であることに起因した問題を解決することを目的としたものであり、中空のシール部が段付き溝の幅狭部から幅方向にはみ出ることに起因してチャンバベースとチャンバカバーとの間で破断されないようにすることを目的とするものである。
【課題を解決するための手段】
【００１１】
上記課題を解決するために、本発明は、チャンバベースとチャンバカバーとにより密閉室が開閉自在に形成されるチャンバと、チャンバベースとチャンバカバーとの間に介装されて、チャンバベースとチャンバカバーとの間を気密にシールする柔軟弾性部材よりなるパッキンと、チャンバ内を脱気して負圧化する真空ポンプとを備えた真空包装機であって、チャンバベースまたはチャンバカバーの周部にはパッキンの基部を嵌合する底側を幅広部として開口側を幅狭部とした段付き溝を形成し、パッキンは段付き溝の幅広部に嵌合して取り付けられる取付基部と、取付基部から幅狭部より狭い幅にて段付き溝の開口を突出して、チャンバベースとチャンバカバーとを互いに圧接させたときに幅狭部内にて弾性変形してチャンバベースとチャンバカバーとの間を気密にシールする中空のシール部とを備え、取付基部の幅を段付き溝の幅広部の幅より長くするとともに、取付基部の段付き溝の底壁との対向面には幅方向の中央部に幅広部の高さより低い凹溝を形成したことを特徴とする真空包装機を提供するものである。
【００１２】
上記のように構成した真空包装機においては、取付基部の幅を段付き溝の幅広部の幅より長くするとともに、取付基部の段付き溝の底壁との対向面には幅方向の中央部に幅広部の高さより低い凹溝を形成したので、パッキンの取付基部を段付き溝の幅広部から外れにくくすることができるとともに、取付基部の幅方向の両側部を凹溝側に圧縮するように弾性変形させることで、取付基部を幅狭部を通して幅広部に容易に取付けることができるようになった。また、取付基部を段付き溝の幅広部の幅より長くしたことで、取付基部が幅広部内で幅方向に圧縮されるが、取付基部の幅方向の両側部が段付き溝の底側で凹溝側に屈撓するので、取付基部の開口側に設けた中空のシール部が幅狭部内にて外側に広がるようになって、シール部が内側に潰れたときのように段付き溝の幅方向にて外側に倒れるのを防ぐことができる。これにより、チャンバカバーによりチャンバベースを閉じたときに、シール部を幅狭部からはみ出にくくすることができた。このように構成した真空包装機においては、凹溝を幅方向の中央部が深くなるように形成するのが特に好ましい。
【００１３】
上記のように構成した真空包装機においては、取付基部の高さを幅広部の高さより高くし、取付基部の段付き溝の底壁との対向面には凹溝の両側にて幅方向の中央部に向けて高くなるように傾斜面を設けるのが好ましく、このようにしたときには、取付基部の幅方向の両側部が段付き溝の底側で凹溝側に確実に屈撓するようになるため、取付基部の開口側に設けた中空のシール部が幅狭部内にて外側に広がるようになり、チャンバカバーによりチャンバベースを閉じたときに、シール部が幅狭部から確実にはみ出にくくすることができた。
【００１４】
上記のように構成した真空包装機の他の実施形態においては、取付基部にはシール部の付根部の両側を切り欠いた切欠き溝を形成することによって、取付基部の幅方向の両端部を外側に広がる爪部を形成するようにし、爪部を段付き溝の幅広部の側面に弾性的に付勢させた状態にて、爪部の先端部を段付き溝の段部に係止させるようにしてもよい。
【００１５】
また、真空包装機のさらに他の実施形態においては、チャンバベースとチャンバカバーとにより密閉室が開閉自在に形成されるチャンバと、チャンバベースとチャンバカバーとの間に介装されて、チャンバベースとチャンバカバーとの間を気密にシールするパッキンと、チャンバ内を脱気して負圧化する真空ポンプとを備えた真空包装機であって、チャンバベースまたはチャンバカバーの周部にはパッキンの基部を嵌合する底側を幅広部として開口側を幅狭部とした段付き溝を形成し、パッキンは段付き溝の幅広部に嵌合して取り付けられる取付基部と、取付基部から幅狭部より狭い幅にて段付き溝の開口を突出して、チャンバベースとチャンバカバーとを互いに圧接させたときに幅狭部内にて弾性変形してチャンバベースとチャンバカバーとの間を気密にシールする中空のシール部とを備え、パッキンは取付基部とシール部との間に断面形状がく字形の部分を少なくとも含む緩衝部を設けるようにしてもよい。
【００１６】
このように構成した真空包装機においては、メンテナンスをするときにパッキンが段付き溝の幅方向または深さ方向にずれる方向にてシール部に接触しても、シール部に加えられた負荷は緩衝部が段付き溝の幅方向または深さ方向に弾性変形することによって吸収され、取付基部を段付き溝の幅広部から外れにくくすることができた。さらに、チャンバベースとチャンバカバーとを互いに圧接させたときには、緩衝部が段付き溝の深さ方向に弾性変形することでシール部を段付き溝の幅狭部内に収めることができ、シール部が段付き溝の幅狭部からはみ出にくくすることができた。
【図面の簡単な説明】
【００１７】
【図１】本発明の真空包装機の一実施形態を縦方向に破断した斜視図である。
【図２】真空包装機の主としてチャンバと油回転真空ポンプとを接続する配管を示す概略図である。
【図３】チャンバカバーの段付き溝にパッキンを取り付けた状態を示す断面図である。
【図４】チャンバベースをチャンバカバーにより閉じた状態を示す断面図である。
【図５】パッキンの凹溝を浅くした図３に相当する断面図である。
【図６】パッキンの取付基部の高さを段付き溝の幅広部の高さより高くし、凹溝の両側に凹溝側に高くなる傾斜面を形成したときの図３に相当する断面図である
【図７】他の実施形態のパッキンを示す図３に相当する断面図である。
【図８】さらに他の実施形態のパッキンを示す図３に相当する断面図である。
【図９】従来技術のパッキンを示す図３に相当する断面図である。
【図１０】チャンバベースをチャンバカバーにより閉じたときの従来技術のパッキンを示す図４に相当する断面図である。
【図１１】従来技術のパッキンが段付き溝の一方の段部から外れた状態の図９に相当する断面図である。
【図１２】パッキンの取付基部を段付き溝の幅広部の幅より長くしたときに、シール部の両側壁部が内側に凹むように変形した状態を示す図９に相当する断面図（ａ）であり、シール部が幅方向に倒れた状態を示す図９に相当する断面図（ｂ）である。
【発明を実施するための最良の形態】
【００１８】
以下、本発明の真空包装機の一実施形態を添付図面を参照して説明する。図１及び図２に示したように、真空包装機１０は、ハウジング１１の上部に包装袋を収容するチャンバ１２と、チャンバ１２内にて包装袋の開口部周縁を密閉する加熱封止装置（封止装置）３０と、ハウジング１１の下部にてチャンバ１２内を脱気して負圧化させる真空ポンプ４０とを備えている。
【００１９】
図１及び図２に示したように、チャンバ１２はチャンバベース１３とチャンバカバー１４とにより構成される耐圧容器であり、チャンバベース１３とチャンバカバー１４とを互いに圧接させることによって密閉室を開閉自在に形成している。チャンバベース１３は浅い皿形をして包装袋を収容可能としている。チャンバベース１３の上面開口には耐圧性のアクリル板よりなるチャンバカバー１４が開閉自在に取り付けられており、チャンバカバー１４は前端側が上下に移動可能となるように後端部がハウジング１１の後端部に水平軸線回りに支持されている。
【００２０】
図１及び図３に示したように、チャンバカバー１４の下面の周部には全周にわたって段付き溝１５が形成されており、段付き溝１５にはゴム等の柔軟弾性部材よりなるパッキン２０が着脱可能に取り付けられている。パッキン２０はチャンバベース１３とチャンバカバー１４との間を気密にシールするものであり、チャンバベース１３をチャンバカバー１４により閉じたときに段付き溝１５から幅方向にはみ出ないようにシールするものである。図３に示したように、段付き溝１５は底側が幅の広い幅広部１５ａと開口側が幅の狭い幅狭部１５ｂを備えている。パッキン２０は幅広部１５ａに嵌合して取付られる取付基部２１と、取付基部２１から段付き溝１５の開口を突出するシール部２２とを備えている。取付基部２１は幅広部１５ａより少し広い幅をし（図３では取付基部２１は幅広部１５ａ内に幅方向に圧縮されて取り付けられている）、幅広部１５ａの高さと略同じ高さとなっている。取付基部２１の段付き溝１５の底壁との対向面には幅方向の中心部に段付き溝１５の溝方向と平行に延びる凹溝２１ａが形成されており、凹溝２１ａは取付基部２１の幅方向の両側部を段付き溝１５の底壁側にて中央側に屈撓させる機能を有している。この実施形態の凹溝２１ａは幅方向の中央部が深くなるように形成され、具体的には凹溝２１ａの両側壁を繋ぐ底壁は鈍角な中心角を有したＶ字形をしている。
【００２１】
パッキン２０のシール部２２は取付基部２１と一体的に形成され、取付基部２１から段付き溝１５の幅狭部１５ｂを通って段付き溝１５の開口を突出するように延びている。シール部２２は段付き溝１５の幅狭部１５ｂを通って段付き溝１５の開口を突出する両側壁と、両側壁の先端を繋ぐ連結壁とを有した段付き溝１５に沿った方向に空洞が連続する中空の形状をしている。シール部２２の両側壁は外側に広がる略く字形をしており、シール部２２の幅は段付き溝１５の幅狭部１５ｂより狭く、この実施形態では略２／３の幅となっている。
【００２２】
図１に示したように、チャンバ１２内の前部には加熱封止装置３０が設けられている。加熱封止装置３０はチャンバ１２内に収容した熱溶着可能な包装袋の先端開口周縁部を密閉するものである。なお、包装袋は内側に融点の低い材質を採用した二層構造の熱可塑性樹脂製フィルムを用いたものである。加熱封止装置３０は包装袋の先端開口部周縁を狭圧して保持する下側及び上側狭圧ブロック３１，３２とを備えている。下側狭圧ブロック３１はチャンバベース１３の前部に上下に移動可能に設けられている。また、下側狭圧ブロック３１の上面にはニクロム素材よりなる帯板状をしたヒータ３３が設けられている。上側狭圧ブロック３２は弾性変形可能なシリコン製のブロック体よりなり、下側狭圧ブロック３１の上側に対向する位置にて、チャンバカバー１４の下面前部に設けられている。
【００２３】
図１及び図２に示したように、チャンバベース１３の前部には下側狭圧ブロック３１を上下に昇降させる左右一対の昇降機構３４（図では右側のみを示す）が設けられている。昇降機構３４はチャンバベース１３の前部の底壁を貫通する左右一対の支持軸３５を備え、これら支持軸３５はチャンバベース１３の前部にて下側狭圧ブロック３１を上下動可能に支持している。支持軸３５はチャンバベース１３の下側にて昇降シリンダ３６により上下に移動可能に支持されている。支持軸３５には昇降シリンダ３６内に鍔部３６ａが設けられており、鍔部３６ａは昇降シリンダ３６内を上部空間３６ｂと下部空間３６ｃとに気密に区画している。昇降シリンダ３６の上部空間３６ｂには支持軸３５の外周にコイルスプリング３６ｄが介装されており、コイルスプリング３６ｄは鍔部３６ａを介して支持軸３５を下方に付勢している。
【００２４】
図１及び図２に示したように、ハウジング１１内には真空ポンプ４０が設けられており、真空ポンプ４０は吸気管４１によってチャンバ１２内と接続されている。吸気管４１にはこれを開閉する真空弁４２が設けられている。吸気管４１にはチャンバ１２と真空弁４２との間に大気を導入する大気導入管４３が接続されている。大気導入管４３は第１管部４３ａと、第１管部４３ａから分岐した第２管部４３ｂとからなり、第１及び第２管部４３ａ，４３ｂにはこれらを開閉する第１及び第２開放弁４４，４５が設けられている。第１管部４３ａは第２管部４３ｂより径が太く形成されており、第１開放弁４４を開放したときにはチャンバ１２内に速く大気が導入され、第２開放弁４５を開放したときには、チャンバ１２内にゆっくりと大気が導入される。
【００２５】
また、第２管部４３ｂには真空検出管４６が接続されており、真空検出管４６にはチャンバ１２の圧力を検出する真空計４７が設けられている。吸気管４１には真空ポンプ４０と真空弁４２との間から分岐したシリンダ管４８が昇降シリンダ３６の上部空間３６ｂに接続されており、シリンダ管４８にはこれを開閉するシリンダ弁４９が設けられている。
【００２６】
上記のように構成した真空包装機１０の作動について説明する。包装袋の先端開口部周縁が下側狭圧ブロック３１の上側に載るように包装袋をチャンバベース１３に載置し、チャンバベース１３の上面開口をチャンバカバー１４により閉じて塞ぐ。全ての弁４２，４４，４５及び４９が閉止された状態から、真空弁４２を開放するとともに真空ポンプ４０を作動させてチャンバ１２内を脱気して負圧化させる。真空計４７により検出されるチャンバ１２内の真空度が所定の圧力として０．５ｋＰａ（真空度が９９．５％）となると、シリンダ弁４９を開放して左右の昇降シリンダ３６内を負圧化させることで左右の支持軸３５を上昇させ、下側狭圧ブロック３１を上昇位置まで上昇させて上側狭圧ブロック３２に押圧させる。この状態にて、図示しない電源からヒータ３３に通電させて発熱させると、下側及び上側狭圧ブロック３１，３２に狭圧されて保持された包装袋の先端開口部周縁は熱溶着されて密封される。その後、真空ポンプ４０の作動を停止させるとともに、第２開放弁４５と第１開放弁４４とを順に開放させることにより、チャンバ１２内に大気を導入して、チャンバ１２内を大気圧に戻すとともに、昇降シリンダ３６に大気を導入することによって支持軸３５を下降させ、下側狭圧ブロック３１を下降位置に戻す。このようにして、チャンバ１２内に収容した包装袋は真空状態としてヒータ３３により加熱溶着されて密封され、包装袋内の食材は真空包装される。
【００２７】
上記のように構成した真空包装機１０においては、チャンバカバー１４の下面の周部には底側を幅広部１５ａとして開口側を幅狭部１５ｂとした段付き溝１５が形成されている。パッキン２０は段付き溝１５の幅広部１５ａに嵌合して取り付けられる取付基部２１と、取付基部２１から幅狭部１５ｂより狭い幅にて段付き溝１５の開口を突出して、チャンバベース１３とチャンバカバー１４とを互いに圧接させたときに幅狭部１５ｂ内にて弾性変形してチャンバベース１３とチャンバカバー１４との間を気密にシールする中空のシール部２２とを備えている。
【００２８】
この真空包装機１０においては、取付基部２１の幅を段付き溝１５の幅広部１５ａの幅より長くするとともに、取付基部２１の段付き溝１５の底壁との対向面には幅方向の中央部に凹溝２１ａを形成した。これにより、パッキン２０の取付基部２１が段付き溝１５の幅広部１５ａから外れにくくすることができるとともに、取付基部２１の幅方向の両側部を凹溝２１ａ側に圧縮するように弾性変形させることで、取付基部２１を幅狭部１５ｂを通して幅広部１５ａに容易に取付けることができるようになった。また、取付基部２１の凹溝２１ａの深さ（高さ）は取付基部２１の高さを超えたものでないので、取付基部２１の段付き溝１５の開口側で幅広部１５ａに突っ張る力を維持することができ、取付基部２１が幅広部１５ａから外れにくくすることができた。
【００２９】
また、取付基部２１を段付き溝１５の幅広部１５ａの幅より長くしたことで、取付基部２１が幅広部１５ａ内で幅方向に圧縮されるが、取付基部２１の幅方向の両側部が段付き溝１５の底側で凹溝２１ａ側に屈撓するので（図３の矢印に示した）、取付基部２１の開口側に設けた中空のシール部２２の両側壁が幅狭部１５ｂ内にて外側に広がるようになって（図３の矢印に示した）、シール部２２が内側に潰れたときのように段付き溝１５の幅方向にて外側に倒れるのを防ぐことができる。これにより、チャンバカバー１４によりチャンバベース１３を閉じたときに、シール部２２が幅狭部１５ｂからはみ出にくくすることができた。特に、この実施形態の真空包装機１０においては、凹溝２１ａを幅方向の中央部が深くなるように形成しているので、取付基部２１の幅方向の両側部が段付き溝１５の底側で凹溝２１ａ側に屈撓しやすくなっており、これによって、上述した作用効果を得やすくできた。なお、取付基部２１の凹溝２１ａの溝方向と直交する方向の断面形状を幅方向の中央部が深くなる形状の一例としてＶ字形またはＵ字形としたときであっても上述したのと同様の作用効果を得ることができる。
【００３０】
この実施形態では、取付基部２１の凹溝２１ａの中央部の深さを幅広部１５ａの高さの略２／３とし、取付基部２１の幅方向の両側部を凹溝２１ａ側に屈撓しやすくしている。本発明は凹溝２１ａの中央部の深さを幅広部の高さの略２／３としたものに限られるものでなく、幅広部１５ａの高さより低い範囲でこれよりも深くまたは浅くしてもよい。具体的には、図５に例示したように、取付基部２１の凹溝２１ａの中央部の深さを幅広部１５ａの高さの略１／４程度としてもよい。取付基部２１の凹溝２１ａを深くしたときには、取付基部２１の幅方向の両側部が凹溝２１ａ側に屈撓しやすくなり、取付基部２１を段付き溝１５の幅広部に取り付けやすくすることができる。取付基部２１の凹溝２１ａを浅くしたときには、取付基部２１の幅方向の両側部が凹溝２１ａ側に屈撓しにくくなり、取付基部２１を段付き溝１５の幅広部１５ａに取り付けにくくなるが、取付基部２１を段付き溝１５の幅広部１５ａから外れにくくすることができる。
【００３１】
また、この実施形態では、取付基部２１の高さを段付き溝１５の幅広部１５ａの高さと同じとしたが、本発明はこれに限られるものでなく、取付基部２１の高さを段付き溝１５の幅広部１５ａの高さより高くしたものであってもよい。取付基部２１の高さを段付き溝１５の幅広部１５ａの高さより高くしたときには、図６に示したように、取付基部２１の段付き溝１５の底壁との対向面には凹溝２１ａの両側にて幅方向の中央部に向けて高くなるように傾斜面を形成するのが好ましい（図６の２点鎖線は幅広部１５ａ内で圧縮されるまえの傾斜面を示している）。このようにしたことで、取付基部２１が幅広部１５ａ内で高さ方向にも圧縮されたときに、取付基部２１の幅方向の両側部が段付き溝１５の底側で凹溝２１ａ側に確実に屈撓するようになるため、取付基部２１の開口側に設けた中空のシール部２２が幅狭部１５ｂ内にて外側に確実に広がるようになり、チャンバカバー１４によりチャンバベース１３を閉じたときに、シール部２２が幅狭部１５ｂから確実にはみ出にくくすることができた。
【００３２】
真空包装機１０の他の実施形態は、図７に示したように、取付基部２１にはシール部２２の付根部の両側を切り欠いた切欠き溝２１ｂを形成することによって、取付基部２１の幅方向の両端部を外側に広がる爪部２１ｃとして形成するようにし、爪部２１ｃを段付き溝１５の幅広部１５ａの側面に弾性的に付勢させた状態にて、爪部２１ｃの先端部を段付き溝１５の段部に係止させるようにしたものである。
【００３３】
このように構成した真空包装機１０においては、取付基部２１を段付き溝１５の幅広部１５ａ内に押し込めば、取付基部２１の幅方向の両側部の爪部２１ｃは外側に広がった状態（図７の２点鎖線に示す）から、幅広部１５ａの両側壁によって幅方向の内側に押されて外側に付勢された状態となり、爪部２１ｃの先端部が段付き溝１５の段部に係止するようになる。このように、取付基部２１を段付き溝１５の幅広部１５ａに押し込めば、取付基部２１の両側部の爪部２１ｃが内側に弾性変形して、爪部２１ｃが段付き溝１５の段部に係止して外れないようになり、取付基部２１の取付作業が容易となる。また、取付基部２１の幅方向の両側部の爪部２１ｃは段付き溝１５の段部に弾性的に外側に付勢された状態で係止しているので、取付基部２１を段付き溝１５の幅広部１５ａから外れにくくすることができた。
【００３４】
また、真空包装機１０のさらに他の実施形態においては、上述した実施形態と同様に、チャンバベース１３とチャンバカバー１４とにより密閉室が開閉自在に形成されるチャンバ１２と、チャンバベース１３とチャンバカバー１４との間に介装されて、チャンバベース１３とチャンバカバー１４との間を気密にシールするパッキン２０と、チャンバ１２内を脱気して負圧化する真空ポンプ４０とを備えている。この真空包装機１０においては、チャンバカバー１４の下面の周部にはパッキン２０の基部を嵌合する底側を幅広部１５ａとして開口側を幅狭部１５ｂとした段付き溝１５を形成し、パッキン２０は段付き溝１５の幅広部１５ａに嵌合して取り付けられる取付基部２１と、取付基部２１から幅狭部１５ｂより狭い幅にて段付き溝１５の開口を突出して、チャンバベース１３とチャンバカバー１４とを互いに圧接させたときに幅狭部１５ｂ内にて弾性変形してチャンバベース１３とチャンバカバー１４との間を気密にシールする中空のシール部２２とを備えている。図８に示したように、この真空包装機１０においては、パッキン２０は取付基部２１とシール部２２との間に溝方向と直交する方向の断面形状がく字形の部分を少なくとも含む形状として断面形状がＳ字形をした緩衝部２３を設けるようにし、シール部２２を緩衝部２３を介して取付基部２１から段付き溝１５の開口から突出させるようにした。
【００３５】
このように構成した真空包装機１０においては、メンテナンスをするときにパッキン２０が段付き溝１５の幅方向または深さ方向にずれる方向にてシール部２２に接触しても、シール部２２に加えられた負荷は緩衝部２３が段付き溝１５の幅方向または深さ方向に弾性変形することによって吸収され、取付基部２１が段付き溝１５の幅広部１５ａから外れにくくすることができた。さらに、チャンバベース１３とチャンバカバー１４とを互いに圧接させたときには、緩衝部２３が段付き溝１５の深さ方向に弾性変形することでシール部２２を段付き溝１５の幅狭部１５ｂ内に収めることができ、シール部２２が段付き溝１５の幅狭部１５ｂからはみ出にくくすることができた。
【００３６】
上記のように構成した真空包装機１０においては、チャンバベース１３は上側に開口した浅い皿形をし、チャンバカバー１４はチャンバベースの開口を塞ぐ板形をしたものであるが、本発明の真空包装機はこれに限られるものでなく、チャンバベース１３を板形とし、チャンバカバーを下側に開口した浅い皿形をしたものであってもよく、このようにしたときにも上述したのと同様の作用効果を得ることができる。
【００３７】
上記のように構成した真空包装機１０においては、チャンバカバー１４の下面の周部に段付き溝１５を形成し、段付き溝１５にパッキン２０を取り付けるようにしたが、本発明の真空包装機はこれに限られるものでなく、チャンバベース１３の上面の周部に段付き溝１５を形成し、段付き溝１５にパッキン２０を取り付けるようにしてもよく、このようにしたときにも上述したのと同様の作用効果を得ることができる。
【００３８】
上記のように構成した真空包装機１０においては、パッキン２０のシール部２２を殆どの部分で外側と遮断された中空としたものであるが、シール部２２の周壁の一部を溝の方向または溝と直交する方向に開くようにして、外側と遮断されてない状態としたものであってもよい。
【符号の説明】
【００３９】
１０…真空包装機、１２…チャンバ、１３…チャンバベース、１４…チャンバカバー、１５…段付き溝、１５ａ…幅広部、１５ｂ…幅狭部、２０…パッキン、２１…取付基部、２１ａ…凹溝、２１ｂ…切欠き溝、２１ｃ…爪部、２２…シール部、２３…緩衝部、４０…真空ポンプ
【図１】
2016055914.tif 000003
【図２】
2016055914.tif 000004
【図３】
2016055914.tif 000005
【図４】
2016055914.tif 000006
【図５】
2016055914.tif 000007
【図６】
2016055914.tif 000008
【図７】
2016055914.tif 000009
【図８】
2016055914.tif 000010
【図９】
2016055914.tif 000011
【図１０】
2016055914.tif 000012
【図１１】
2016055914.tif 000013
【図１２】
2016055914.tif 000014